(57)【要約】通信装置（２０２）は、無線リンクを通じて送信されるデータの暗号化を改善するため、物理レイヤで符号を暗号化する。通信装置の符号マッパ（２０８）は、複数のビットを具備するビット・ストリームを受信し、その複数ビットを複数符号にマッピングする。通信装置の振幅位相調整器（２１０）は、複数符号を受信し、位相シフト及び振幅調整の少なくとも一つを各符号に適用することによって符号を暗号化して、無線リンクを通じて送信すべき複数の暗号化符号を生成する。本発明の別の実施例において、送信通信装置によって符号に適用された位相シフト又は振幅調整に対応する位相シフトと振幅調整のうちの少なくとも一つを各暗号化符号に適用することによって、暗号化符号を暗号解読できる通信装置（２５０）が提供される。
2008514159.tif 000002
【特許請求の範囲】
【請求項１】
無線送信を暗号化する方法であって、該方法は、
複数の符号を受信することと、
位相シフト及び振幅調整のうちの少なくとも一つを前記複数符号の各符号に適用することによって、複数の調整符号を生成することと、
無線リンクを介して前記複数の調整符号を送信することと
を具備する無線送信の暗号化方法。
【請求項２】
位相シフト及び振幅調整のうちの前記少なくとも一つは、セッション鍵及びタイム・スロット番号のうちの少なくとも一つに基づくことを特徴とする請求項１に記載の方法。
【請求項３】
前記方法は更に、符号語を生成することを具備し、
位相シフト及び振幅調整のうちの少なくとも一つを各符号に適用することは、前記符号語に基づいて前記複数符号の各符号に位相シフト及び振幅調整のうちの少なくとも一つを適用することによって前記複数の調整符号を生成することを具備することを特徴とする請求項１に記載の方法。
【請求項４】
前記複数符号のうちの第一符号に適用される位相シフト及び振幅調整のうちの前記少なくとも一つは、前記複数符号のうちの第二符号に適用される位相シフト及び振幅調整のうちの前記少なくとも一つとは異なることを特徴とする請求項１に記載の方法。
【請求項５】
暗号化無線送信を受信する方法であって、該方法は、
無線リンクを介して複数の暗号化符号を受信することであって、前記複数の暗号化符号の各符号は、位相シフト及び振幅調整のうちの少なくとも一つを前記符号に適用することによって暗号化されていたことと、
位相シフト及び振幅調整のうちの少なくとも一つを前記複数の暗号化符号のうちの各暗号化符号に適用することによって、複数の復号化符号を生成することと
を具備する暗号化無線送信の受信方法。
【請求項６】
位相シフト及び振幅調整のうちの前記少なくとも一つは、セッション鍵及びタイム・スロット番号のうちの少なくとも一つに基づくことを特徴とする請求項５に記載の方法。
【請求項７】
前記方法は、更に符号語を生成することを具備し、
前記位相シフト及び振幅調整のうちの少なくとも一つを各暗号化符号に適用することは、複数の暗号解読符号を生成すべく、前記符号語に基づいて前記複数の暗号化符号の各暗号化符号に前記位相シフト及び振幅調整のうちの少なくとも一つを適用することを具備することを特徴とする請求項５に記載の方法。
【請求項８】
前記複数の暗号化符号のうちの第一暗号化符号に適用される位相シフト及び振幅調整のうちの少なくとも一つは、前記複数の暗号化符号のうちの第二暗号化符号に適用される位相シフト及び振幅調整のうちの少なくとも一つとは異なることを特徴とする請求項５に記載の方法。
【請求項９】
通信装置であって、該装置は、
複数のビットを具備するビット・ストリームを受信する符号マッパであって、該符号マッパは、前記複数ビットを複数の符号にマッピングすることと、
前記符号マッパから前記複数符号を受信する振幅位相調整器であって、該振幅位相調整器は、無線リンクを通じて送信する複数の調整符号を生成すべく、前記複数符号の各符号に位相シフト及び振幅調整のうちの少なくとも一つを適用することによって、各符号を暗号化することと
を具備する通信装置。
【請求項１０】
前記符号マッパは第一符号マッパを具備し、前記通信装置は更に、
前記複数調整符号を受信する第二符号マッパであって、該第二符号マッパは、前記複数調整符号の各調整符号を、タイム・スロット内の符号位置にマッピングすることと、
変調タイム・スロットを生成すべく、前記タイム・スロットにおける前記符号を変調する変調器と、
無線リンクを通じて送信する増幅タイム・スロットを生成すべく、前記変調タイム・スロットを増幅する電力増幅器と
を具備することを特徴とする請求項９に記載の通信装置。
【請求項１１】
前記通信装置は更に、セッション鍵及びタイム・スロット番号のうちの少なくとも一つを保持する少なくとも一つの記憶装置を具備し、
位相シフト及び振幅調整のうちの前記少なくとも一つは、セッション鍵及びタイム・スロット番号のうちの前記少なくとも一つに基づくことを特徴とする請求項９に記載の通信装置。
【請求項１２】
前記通信装置は更に、前記振幅位相調整器に連結されて符号語を生成する符号語発生器を具備し、
前記振幅位相調整器は、位相シフト及び振幅調整のうちの少なくとも一つを前記符号語に基づいて前記符号に適用することによって、位相シフト及び振幅調整のうちの少なくとも一つを前記複数符号の各符号に適用することを特徴とする請求項９に記載の通信装置。
【請求項１３】
通信装置であって、該通信装置は、
無線リンクを通じて送信された複数の暗号化符号を受信する振幅位相調整器であって、前記複数暗号化符号の各符号は、位相シフト及び振幅調整のうちの少なくとも一つを前記符号に適用することによって暗号化されて、前記振幅位相調整器は複数の暗号解読符号を生成すべく、前記複数暗号化符号のうちの各暗号化符号に位相シフト及び振幅調整の少なくとも一つを適用することと、
前記複数の暗号解読符号を受信する逆符号マッパであって、該逆符号マッパは、前記複数の暗号解読符号の各暗号解読符号をコンステレーション内の一点にマッピングすることによってビット・ストリームを生成することと
を具備する通信装置。
【請求項１４】
前記符号マッパは第一符号マッパを具備し、前記通信装置は更に、
無線リンクを通じて送信されたタイム・スロットを受信する復調器であって、該復調器は、前記タイム・スロットを復調することによって復調タイム・スロットを生成することと、
前記復調タイム・スロットを受信する第二符号マッパであって、該第二符号マッパは、前記タイム・スロットをデインターリーブすることによって前記複数暗号化符号を生成することと
を具備することを特徴とする請求項１３に記載の通信装置。
【請求項１５】
前記通信装置は更に、セッション鍵及びタイム・スロット番号の少なくとも一つを保持する少なくとも一つの記憶装置を具備し、
位相シフト及び振幅調整のうちの前記少なくとも一つは、前記セッション鍵及びタイム・スロット番号のうちの前記少なくとも一つに基づくことを特徴とする請求項１３に記載の通信装置。
【請求項１６】
前記通信装置は更に、前記振幅位相調整器に連結されて符号語を生成する符号語発生器を具備し、
前記振幅位相調整器は、位相シフト及び振幅調整の少なくとも一つを、前記符号語に基づいて前記暗号化符号に適用することによって、位相シフト及び振幅調整のうちの少なくとも一つを前記複数暗号化符号の各暗号化符号に適用することを特徴とする請求項１３に記載の通信装置。
【発明の詳細な説明】
【技術分野】
【０００１】
本発明は概して無線通信システムに係り、より具体的には無線通信システムにおける無線通信の暗号化に関する。
【背景技術】
【０００２】
典型的な無線通信方式において、通信セッションがセットアップされると、セッション鍵が送信及び受信通信装置の間に分配される。セッション鍵は、次に、送信通信によって使用され、無線送信されたデータについてレイヤ２又レイヤ３暗号化を実施する。物理レイヤ、すなわちレイヤ１暗号化は行われず、すなわち、変調波形の暗号化は存在しない。更に、通常ユーザ・データだけが暗号化され、パイロット符号及び同期化符号はされないので、これらの符号はタイミング同期とフェージング回復の基準（reference）として使用されなければならない。
【非特許文献１】３ＧＰＰ（第三世代パートナーシップ・プロジェクト）ＴＳ（技術的明細事項）５５．２１６  ｖ６．２．０
【発明の開示】
【発明が解決しようとする課題】
【０００３】
レイヤ２又はレイヤ３暗号化を実施すると、セッション鍵を傍受するか、或いは暴力（brute force）を適用することによってデータを暗号解読する傍受通信装置によって暗号解読され易いデータが放出される。従って、無線通信システムにおける通信の不都合な傍受器による暗号解読に対して、エアインタフェースをより安全にする方法及び装置の必要性が存在する。
【課題を解決するための手段】
【０００４】
無線通信システムにおける通信の不都合な傍受器による暗号解読に対してエアインタフェースをより安全にする方法及び装置の必要性に取り組むため、無線リンクを通じて送信されるデータの暗号化を改善するため、物理レイヤで符号を暗号化する通信装置を提供する。通信装置の符号マッパ（mapper）は複数ビットを具備するビット・ストリームを受信し、当該複数ビットを複数符号にマッピングする。通信装置の振幅位相調整器は複数符号を受信し、位相シフト及び振幅調整の少なくとも一つを複数符号の各符号に適用することによって符号を暗号化して、無線リンクを通じて送信する複数の暗号化符号を生成する。本発明の別の実施例において、送信通信装置によって符号に適用された位相シフト又は振幅調整に対応する位相シフト及び振幅調整の少なくとも一つを各暗号化符号に適用することによって、暗号化符号を暗号解読できる通信装置を提供する。
【０００５】
全般的に、本発明の実施例は、無線送信を暗号化する方法を含む。該方法は、複数符号を受信することと、複数の調整符号を生成すべく、複数符号の各符号に位相シフト及び振幅調整の少なくとも一つを適用することと、無線リンクを介して複数の調整符号を送信することとを含む。
【０００６】
本発明の別の実施例は、暗号化無線送信を受信する方法を含む。該方法は、無線リンクを介して複数の暗号化符号を受信することであって、複数暗号化符号の各符号は、位相シフト及び振幅調整の少なくとも一つを符号に適用することによって暗号化されていることと、複数の暗号解読符号を生成すべく、位相シフト及び振幅調整の少なくとも一つを複数暗号化符号の各暗号化符号に適用することとを含む。
【０００７】
本発明の更に別の実施例は、複数ビットを具備するビット・ストリームを受信し、該複数ビットを複数符号にマッピングする符号マッパを含む通信装置を包含する。通信装置は、更に、符号マッパから複数符号を受信し、位相シフト及び振幅調整の少なくとも一つを複数符号の各符号に適用して、無線リンクを通じて送信する複数の調整符号を生成する振幅位相調整器を含む。
【０００８】
本発明の更に別の実施例は、無線リンクを通じて送信された複数暗号化符号を受信し、複数暗号化符号の各符号は、位相シフト及び振幅調整の少なくとも一つを符号に適用することによって暗号化されており、位相シフト及び振幅調整の少なくとも一つを複数暗号化符号の各暗号化符号に適用して、複数の暗号解読符号を生成する振幅位相調整器を含む通信装置を包含する。通信装置は、更に、複数暗号解読符号を受信し、複数暗号解読符号の各暗号解読符号をコンステレーション（constellation）の一点にマッピングして、ビット・ストリームを生成する逆符号マッパを含む。
【発明を実施するための最良の形態】
【０００９】
本発明は、図１〜図８を参照して更に十分に説明し得る。図１は、本発明の実施例に従う無線通信システム１００のブロック図である。通信システム１００は、エアインタフェース１０４を介して、携帯電話、無線電話、無線データ・モデムのような移動局（ＭＳ）１１０と無線通信できる基地局（ＢＴＳ）１０２を含む。エアインタフェース１０４は、トラフィックと、パイロットと、ページング（paging）と、信号チャネルとを具備するフォワードリンク１０８を含む。エアインタフェース１０４は、更に、トラフィックと、アクセスと、信号チャネルとを具備するリバースリンク１０６を含む。
【００１０】
図２は、通信システム１００の基本設計概念２００のブロック図である。通信システム１００の送信側において、ＢＴＳ１０２のような送信通信装置２０２はビット・ストリームを受信し、そのビット・ストリームを対応する符号ストリームに変換し、暗号化符号ストリームを生成すべく、符号ストリームを暗号化することによって物理レイヤで暗号化を提供し、エアインタフェース１０４のようなエアインタフェースを介して暗号化符号ストリームを送信する。通信システム１００の受信側において、ＭＳ１１０のような受信通信装置２５０は送信された暗号化符号ストリームを受信し、各受信データ符号に対応する送信ビット・ストリームのビットを回復すべく、受信符号を暗号解読することによって、物理レイヤで暗号解読を提供する。しかし、当業者は、ＢＴＳ１０２及びＭＳ１１０が、本発明の実施例に関する送信通信装置又は受信通信装置のいずれかとして各々動作可能なことを理解している。
【００１１】
各々の送信通信装置２０２及び受信通信装置２５０は、一つ以上のマイクロプロセッサ、マイクロコントローラ、デジタル信号処理装置（ＤＳＰ）、それらの組み合わせのような又は当業者にとって公知なその他のデバイスのような各々の信号処理ユニット２０４，２７０を含む。当業者は承知しているように、本明細書において記載されるような信号処理ユニット２０４，２７０の様々な機能は、また、プログラマブル論理アレイ（ＰＬＡ）又は特定用途向け集積回路（ＡＳＩＣ）のようなハードウエア回路において実行し得る。信号処理ユニット２０４は、前進型誤信号訂正（ＦＥＣ）エンコーダ２０６と、エンコーダに連結された符号マッパ２０８と、符号マッパに連結された振幅位相調整器２１０と、振幅位相調整器に連結された符号語発生器２１２とを含む。信号処理ユニット２７０は、振幅位相調整器２７２と、振幅位相調整器に各々連結されたパイロット補間機能２７４及び符号語発生器２８０と、パイロット補間機能に連結された逆符号マッパ２７６と、逆符号マッパに連結されたＦＥＣデコーダ２７８とを含む。
【００１２】
各々の送信通信装置２０２及び受信通信装置２５０は、更に、信号処理ユニットによって実行し得るデータ及びプログラムを保持し、通信システム１００において信号処理ユニットを作動させる、ランダム・アクセス・メモリ（ＲＡＭ）、ダイナミック・ランダム・アクセス・メモリ（ＤＲＡＭ）、及び／又は読出し専用メモリ（ＲＯＭ）又はその等価物のような、各々の信号処理ユニットと関連した各々少なくとも一つの記憶装置２３０，２９０を含む。各々の送信通信装置２０２及び受信通信装置２５０は、更に、当該分野において公知なように二つのデバイス間の通信セッションをセットアップ中に送信及び受信通信装置によってやり取りされるセッション鍵を、各々少なくとも一つの記憶装置２３０，２９０において保持する。各々の送信通信装置２０２及び受信通信装置２５０は、更に、それらの各々少なくとも一つの記憶装置２３０，２９０において、ＭＳ１１０と独自に関連する携帯電話シリアル番号を保持し得る。通信システム１００が時分割多重アクセス通信システムの場合、各々の送信通信装置２０２及び受信通信装置２５０は、更に、それらの各々少なくとも一つの記憶装置２３０，２９０において、当該分野において公知なように通信セッションのセットアップ中にＭＳ１１０に割り当てられたタイム・スロット番号を保持し得る。
【００１３】
図３は、本発明の実施例に従う通信システム１００における送信通信装置２０２の動作を例示する論理フローチャート３００を示す。次に図２及び図３を参照すると、データソース（表示なし）が、好ましくはビットのようなバイナリ・フォーマットでデータ・ストリームを信号処理ユニット２０４に提供すると、論理のフロー３００が始まる（３０２）。データ・ストリームは、限定されないが、音声及び画像データを含むデジタルフォーマットで示せるほぼ全てのものを含み得る。信号処理ユニット２０４はデータをエンコーダ２０６に転送する。エンコーダ２０６は誤り訂正符号、好ましくは前方誤り訂正符号（ＦＥＣ）をデータに適用する。例えば、エンコーダ２０６は、ビタビ（Viterbi）符号化アルゴリズムのような畳み込み符号を使用することによって、データを符号化し得るが、ブロック符号を使用してもよい。畳み込み符号及びブロック符号は当該分野において周知であり、より詳細には説明しない。用いられる誤り訂正符号の型は、本発明にとって重要ではなく、当業者は、本発明の趣旨及び範囲から外れることなくデータに適用し得る多くの型の誤り訂正符号を承知している。とにかく、エンコーダ２０６の出力は、好ましくはバイナリ・データ（ビット）フォーマットで示される情報を含む。
【００１４】
エンコーダ２０６によって出力されたデータ・ストリームは、次に、符号マッパ２０８に提供される。しかし、本発明の別の実施例において、データソースによって提供されたデータ・ストリームは、符号マッパ２０８に直接入力し得る。本発明の更に別の実施例において、信号処理ユニット２０４は、更に、符号化データがエンコーダ２０６によって符号マッパ２０８に伝送される前に符号化データをインターリーブ（interleave）するインターリーバ（interleaver）を含み得る。
【００１５】
符号マッパ２０８は、符号化データに対応する複数符号を具備する符号ストリームを生成すべく、符号のコンステレーションに含まれる複数符号の一つに符号化データをマッピングする（３０６）。好ましくは、符号マッパ２０８は、データをマッピングする直交振幅変調（ＱＡＭ）マッピング方式を利用する。しかし、用いられマッピング方式は本発明にとって重要ではなく、当業者は、二相位相変調方式（ＢＰＳＫ）又は直交位相変調方式（ＱＰＳＫ）のような様々な種類のマッピング方式を本発明の趣旨と範囲から外れることなく本明細書において使用し得ることを理解している。
【００１６】
データ・ストリームをマッピングするため、符号マッパ２０８は、データ・ビットのような、Ｐバイナリ・データ単位のグループに入力データ・ストリームをグループ分けして、複数のＰタプル（P-tuple）を形成する。次に、符号マッパ２０８は、ＰタプルをＭ可能点（M-possible points）の内の対応する点にマッピングすることによって、複数の各Ｐタプルを変調する。この場合、所定のＱＡＭコンステレーションにおいて、Ｍ＝２Ｐである。この目的のため、Ｍ可能点を含む所定のＱＡＭコンステレーションは、多次元空間内、好ましくは複合二次元（Ｉ／Ｑ）空間内に規定される。二次元空間内の各点は、二つの概算基底ベクトルのベクトル和として考え得る。二つの概算基底ベクトルは、コンステレーション点、又は対応するデータ符号の同相（Ｉ）成分及び直角（Ｑ）成分に各々対応する。特定の点を規定すべく用いられる二つの基底ベクトルの各振幅は、その点の二次元座標（Ｉ，Ｑ）として考え得る。しかし、当業者は、そのコンステレーションの各点が、また、対応する大きさと位相によって示し得ることを理解している。符号マッパ２０８による各Ｐタプルの変調後、符号マッパは生じた符号を振幅位相調整器２１０に伝送する。
【００１７】
次に、振幅位相調整器２１０は、暗号化した位相及び／又は振幅調整符号を生成すべく、位相シフト「θ」及び振幅調整「Ａ」の少なくとも一つを符号に適用することによって、振幅位相調整器によって受信された各符号を暗号化する（３０８）。好ましくは位相及び／又は振幅調整は、通信セッションのセットアップ中に送信通信装置２０２及び受信通信装置２５０によってやり取りされ、それらの各々少なくとも一つの記憶装置２３０，２９０内で保持されるセッション鍵に基づく。通信システム１００が時分割多重アクセス（ＴＤＭＡ）通信システムの場合、位相及び／又は振幅調整は、更に、ＭＳ１１０に割り当てられたタイム・スロット番号に基づき得る。
【００１８】
より具体的には、振幅位相調整器２１０によって適用される各位相シフト「θ」及び振幅調整「Ａ」は、符号語発生器２１２によって生成された符号語に基づく。本発明の一実施例において、符号語発生器２１２は、新暗号化標準（ＡＥＳ）アルゴリズム、又は本明細書において非特許文献１に記載されるような、信号処理ユニット２０４によって実行される暗号化アルゴリズムを具備する。アルゴリズムへの入力は、セッション鍵又はセッションの導出を含み、更に、ハッシュ型タイム・スロット番号のような、タイム・スロット番号又はタイム・スロット番号の導出を含み得る。位相シフト「θ」及び振幅調整「Ａ」は、次に、暗号化アルゴリズムの対応出力から得られる。例えば、振幅位相調整器２１０によって符号に適用される位相シフト「θ」又は振幅調整「Ａ」は、暗号化アルゴリズムによって出力される第一「ｎ」ビットに基づき得るか、或いは位相シフト「θ」は、暗号化アルゴリズムによって出力される第一「ｎ」ビットに基づき、振幅調整「Ａ」はアルゴリズムによって出力される次の「ｍ」ビットに基づき得る。
【００１９】
例えば、「ｎ」＝４と仮定する。振幅位相調整器２１０に入力された符号に対応して、振幅位相調整器は符号語発生器２１２によって出力された４ビットを読み取る。一度に４ビットを読み取ることによって、通信システム１００は、「３６０°／２ｎ」、又は２２．５°の位相シフト増分を実行することができる。振幅位相調整器２１０によって適用された位相シフト「θ」は、その結果「Ｎ×(３６０°／２ｎ)」になり得る。「Ｎ」は「ｎ」ビットに対応する値である。例えば、信号処理ユニット２０４によって読み取られた「ｎ」ビットが「１００１」であると仮定する。これらのビットは「９」の値、すなわち、Ｎ＝９に対応する。結果として、振幅位相調整器２１０によって適用される対応位相シフト「θ」は、「９×２２．５」、又は２０２．５°になり得る。結果として、振幅位相調整器２１０に入力された符号の位相「φ」が４５°であれば、振幅位相調整器２１０によって出力される対応位相シフト符号は位相「φ＋θ」、すなわち、２４７．５°を具備する。同様に、「ｎ」(又は「ｍ」)＝４のとき、「ｎ」（又は「ｍ」）ビットを使用して符号の振幅調整を決定し得る。例えば、ビットが値「９」に対応するとき、この値を使用して振幅の微少、又は百分率、変化を決定し得る。当業者は、符号語発生器２１２によって出力された符号語に基づいて符号の位相又は振幅を調整する無数のアルゴリズムを思い浮かべることができ、このようなアルゴリズムはいずれも、本発明の趣旨と範囲から外れることなく本明細書において使用し得る。
【００２０】
振幅位相調整器２１０内へ入力された各連続符号に関して、振幅位相調整器は、符号語発生器２１２によって出力された次の連続「ｎ」ビット、又は「ｎ＋ｍ」ビットのいずれか適当な方を読み取る。これらの位相振幅調整を実行するため、振幅位相調整器２１０は、符号語発生器２１２によって出力された符号語を保存するバッファを具備でき、そのバッファから振幅位相調整器は「ｎ」、又は「ｎ＋ｍ」ビットを読み取り得る。
【００２１】
送信通信装置２０２及び受信通信装置２５０間の通信セッションがセットアップされると、信号処理ユニット２０４は、セッション鍵、通常、一連のビット、又はセッション鍵、及び／又はハッシュ型タイム・スロット番号のような、タイム・スロット番号、又はタイム・スロット番号から得られた一連のビットを符号語発生器２１２内に入力することによって、符号語発生器２１２を初期化する。振幅位相調整器２１０内に入力された各符号に対応して、振幅位相調整器２１０は、符号語発生器２１２の出力の「ｎ」、又は「ｎ＋ｍ」ビットを読み取る。値「ｎ」及び「ｍ」は、各々の送信及び受信通信装置２０２，２５０の少なくとも一つの記憶装置２３０，２９０内に保持される。信号処理ユニット２０４は、次に、読み取り「ｎ」ビットに基づいて位相シフト「θ」又は振幅調整「Ａ」を決定し、或いは「ｎ」ビットに基づいて位相シフト「θ」及び符号語の次の「ｍ」ビットに基づいて振幅調整「Ａ」を決定する。
【００２２】
本発明の別の実施例において、符号語発生器２１２は、信号処理ユニット２０４又は少なくとも一つの記憶装置２３０内に保持される、線形フィードバック・シフト・レジスタ（ＬＦＳＲ）のようなシフト・レジスタを具備し得る。送信通信装置２０２及び受信通信装置２５０間の通信セッションがセットアップされると、信号処理ユニット２０４は、シフト・レジスタ内にセッション鍵、又はセッション鍵から得られた一連のビットを書き込み、更に、タイム・スロット番号、又はタイム・スロット番号から得られた一連のビットを書き込み得る。振幅位相調整器２１０内に入力された各符号に対応して、信号処理ユニット２０４は、次に、シフト・レジスタの「ｎ」、又は「ｎ＋ｍ」ビット、好ましくはシフト・レジスタ２１２内の「ｎ」、又は「ｎ＋ｍ」最下位ビットを読み取る。信号処理ユニット２０４が、シフト・レジスタ２１２から「ｎ」、又は「ｎ＋ｍ」ビットを読み取るごとに、信号処理ユニットは、次の位相及び／又は振幅調整に対応する値を読み取る前に、シフト・レジスタ内のビットを一つ以上のビットだけシフトさせ、一つ以上の新しい最上位ビットに書き込む。位相及び／又は振幅調整が読み取られるごとにシフト・レジスタがシフトされるシフト・レジスタのシフト、すなわち、ビット数に対応し、及び新しい一つ以上の最上位ビットの決定方法に対応するシフト・レジスタ・アルゴリズムは、各々の送信及び受信通信装置２０２，２５０の少なくとも一つの記憶装置２３０，２９０内に保持し得る。多くのこのようなアルゴリズムは公知であり、本明細書において使用される特定のアルゴリズムは本明細書にとって重要ではない。
【００２３】
いずれにしても本発明を限定しようとするものではないが、本発明を理解する上で読者を助けるため及び単に本発明の原理を例示するため、振幅位相調整器２１０によって符号に適用される位相シフトのグラフ図を図４に示す。振幅位相調整器２１０内に入力された符号（Ｉ，Ｑ）は、大きさ│Ｒ│と位相φを備えるように示される。位相シフト「θ」に対応する符号語は、シフト・レジスタ２１２によって出力され、振幅位相調整器２１０に入力される。次に、振幅位相調整器２１０は、大きさ│Ｒ│及び位相「φ＋θ」を備える位相シフト符号（Ｉ’，Ｑ’）を出力する。
【００２４】
当該分野において公知なように、データはフレームとして公知なグループに分類して無線で送信される。通信セッションのセットアップ後、送信通信装置２０２が新フレームを開始するごとに、信号処理ユニット２０４は、符号語発生器２１２を再初期化するので、新フレームに埋め込むために暗号化された時間的に第一の符号は、再初期化符号語発生器に基づいて暗号化される。新フレームのヘッダは新フレーム・インジケータ（ＮＦＩ）を含み、これが新フレームであることを示し、ＮＦＩは、受信通信装置が同様にその符号語発生器を再初期化すべきことを受信通信装置２５０に示す。従って、同期化は、送信及び受信通信装置２０２，２５０の各々の符号語発生器２１２，２８０間で保持される。
【００２５】
振幅位相調整器２１０は、信号処理ユニット２０４に連結される送信通信装置２０２の送信機部分２２０に各位相及び／又は振幅調整符号を伝送する。送信機部分２２０は、増幅器２２４に連結された変調器２２２を含む。送信機部分２２０は、位相及び／または振幅調整符号を変調器２２２に転送する。変調器２２２は、各暗号化位相及び／又は振幅調整符号を無線周波数（ＲＦ）搬送波に変調して変調搬送波を生成し（３１０）、変調搬送波を増幅器２２４に伝送する。増幅器２２４は、増幅信号を生成すべく、変調搬送波を増幅し（３１２）、次に、アンテナ２２６及びエアインタフェース１０４を介して増幅信号を送信する（３１４）。論理のフロー３００は、その後、終了する（３１６）。
【００２６】
次に図５を参照すると、本発明の実施例に従う通信システム１００における受信通信装置２５０の動作を例示する論理フローチャート５００が示される。受信通信装置２５０は、送信通信装置２０２に対して逆の機能を実行する。受信通信装置２５０のアンテナ２５２が、送信通信装置２０２によって送信された変調搬送波を受信し、受信変調搬送波を受信通信装置の受信機部分２６０に転送すると、論理のフロー５００が始まる（５０２）。受信機部分２６０は復調器２６４を具備し、更に、復調器に連結された低雑音増幅器（ＬＮＡ）２６２を具備し得る。受信機部分２６０が変調搬送波を受信すると、受信機部分は受信信号をＬＮＡ２６２に転送し、ＬＮＡは変調搬送波を増幅し、増幅受信信号を復調器２６４に転送する。復調器２６４は、複数の暗号化符号を具備するベースバンド、暗号化符号ストリームを生成すべく、搬送波を除去することによって増幅信号を復調する（５０４）。復調器２６４は、次に、ベースバンド、暗号化符号ストリームを受信通信装置２５０の信号処理ユニット２７０に転送する。
【００２７】
信号処理ユニット２７０は、ベースバンド、暗号化符号ストリームを振幅位相調整器２７２に転送する。振幅位相調整器２７２は、振幅位相調整器２１０によって符号に加えられた位相及び／又は振幅調整を相殺する位相及び／又は振幅調整を暗号化符号に適用することによって各暗号化符号を暗号解読し（５０６）、それによって複数の暗号解読符号を生成する。例えば、本発明の一実施例において、振幅位相調整器２７２は、振幅位相調整器２１０によって符号に適用された位相シフトと等しい位相シフトを符号の位相から差し引き得る。本発明の別の実施例において、振幅位相調整器２７２は、複素平面の周りに符号を完全に３６０°回転させ得る位相シフトを符号の位相に添加し得る。すなわち、「３６０°−θ」にほぼ等しい位相シフトを適用し得る。例えば、振幅位相調整器２１０が位相シフト２０２．５°を符号に適用したなら、振幅位相調整器２７２は約「３６０°−２０２．５°」、又は１５７．５°の位相シフトを符号に適用し得る。同様に、振幅位相調整器２７２は、振幅位相調整器２１０によって適用された振幅調整と逆の振幅調整を暗号化符号に適用する。
【００２８】
振幅位相調整器２７２によって実行される位相及び／又は振幅調整は、振幅位相調整器２１０において対応する位相及び／又は振幅調整を決定するのに用いられる符号語と同じ符号語に基づく。符号語は、振幅位相調整器２７２に連結された符号語発生器２８０によって生成される。符号語発生器２８０は、符号語発生器２１２と同様に動作し、セッション鍵に基づいて符号語を生成し、更に、タイム・スロット番号に基づいて符合語を生成し得る。セッション鍵及びタイム・スロット番号は、受信通信装置２５０の少なくとも一つの記憶装置２９０内に保持される。
【００２９】
送信通信装置２０２及び受信通信装置２５０間の通信セッションがまずセットアップされると、信号処理ユニット２７０は、セッション鍵、又はセッション鍵から得られた一連のビットを入力することによって符号語発生器２８０を初期化し、更に、タイム・スロット番号、又はタイム・スロット番号から得られた一連のビットを符号語発生器内に入力し得る。次に、振幅位相調整器２７２内に入力された各符号に関して、振幅位相調整器は、次に、符号語発生器２８０によって生成された符号語の「ｎ」、又は「ｎ＋ｍ」ビットを読み取る。値「ｎ」及び「ｍ」は、受信通信装置２５０の少なくとも一つの記憶装置２９０内に保持される。振幅位相調整器２７２は、次に、「ｎ」、又は「ｎ＋ｍ」ビットに基づいて位相シフト及び／又は振幅調整を決定し、決定された位相シフト及び／又は振幅調整を符号に適用して、暗号解読符号を生成する。通信セッションのセットアップ後、受信通信装置２５０が新フレームを受信するごとに、信号処理ユニット２７０は符号語発生器２８０を再初期化するので、新フレームから暗号解読された時間的に第一の符号は再初期化符号語発生器に基づいて暗号解読される。
【００３０】
振幅位相調整器２１０と同様に、振幅位相調整器２７２は、符号語発生器２８０によって出力された符号語を保存するバッファを具備でき、そのバッファから振幅位相調整器は「ｎ」、又は「ｎ＋ｍ」ビットを読み取り得る。
【００３１】
振幅位相調整器２７２は、次に、複数の暗号解読符号をパイロット補間機能２７４に転送する。フェージング作用を軽減するため、パイロット補間機能２７４は、当該分野において公知なように、パイロット信号及び同期化信号のような受信アプリオリ信号に基づいて複数の暗号解読符号についてパイロット補間を行う。パイロット補間機能２７４は、次に、フェージング補正された複数の暗号解読符号を逆記号マッパ２７６に転送する。逆符号マッパ２７６は、符号マッパ２０８に対応し、符号マッパ２０８の逆機能を実施する。逆符号マッパ２７６は、符号マッパ２０８によって用いられる符号マッピング方式に基づいて各符号に対応するＰタプルを回復することによって、回復ビット・ストリームを生成する（５１０）。逆符号マッパ２７６は、次に、回復ビット・ストリームをデコーダ２７８、好ましくはＦＥＣデコーダに伝送する。デコーダ２７８は、復号化ビット・ストリームを生成すべく、エンコーダ２０６によって用いられた符号化アルゴリズムに基づいて回復ビット・ストリームを復号化する（５１２）。復号化ビット・ストリームは、次に、周知の信号処理技術に従って受信通信装置２５０によって更に処理され（５１４）、その後、論理のフロー５００が終了する（５１６）。本発明の他の実施例において、受信通信装置２５０は、送信通信装置２０２の形成構成に依存して、デコーダを含まなくてもよく、或いは更にインターリーバを含み得る。
【００３２】
無線リンクを介して送信すべき複数符号の各符号に位相シフト及び振幅調整の少なくとも一つを適用することによって、送信通信装置２０２は、無線リンクを通じて送信されるデータの先行技術の暗号化を更に高める物理レイヤ暗号化を提供する。先行技術のレイヤ２又はレイヤ３暗号化に物理レイヤ暗号化を加えることによって、セッション鍵を傍受するか暴力の適用によってデータを暗号解読しようと試みる傍受通信装置による暗号解読に対してデータをより安全にする。
【００３３】
本発明の別の実施例、時分割多重アクセス（ＴＤＭＡ）実施例において、送信通信装置の信号処理ユニットは、更に、パイロット・データ、同期化データ、及びユーザ・データのような種々のデータ型を個別に処理し、タイム・スロットに挿入する要素を含み得る。次に、図６を参照すると、本発明のＴＤＭＡ実施例に従う送信通信装置の信号処理ユニット６００のブロック図が提供される。信号処理ユニット６００は、パイロット・データ、同期化データ、及びユーザ・データのような複数のデータ型を平行処理すべく用意される。平行処理を提供するため、信号処理ユニット６００は、複数のデータ型を処理すべく複数の符号マッパと、複数の振幅位相調整器とを含む。
【００３４】
エンコーダ６０４、好ましくはＦＥＣエンコーダは、ユーザ・データに関連したビット・ストリームを受信する。エンコーダ６０４は、エンコーダ２０６と同様に動作し、エンコーダ２０６に関して上述したようにエンコーダによって受信されたデータを符号化して、符号化データを生成する。エンコーダの種類は本発明にとって重要ではなく、本発明に必要な特殊な符号化でもない。
【００３５】
エンコーダ６０４は、エンコーダによって生成された符号化データを符号マッパ６０８のような、複数の符号マッパ６０６〜６０８（三つが表示される）の一つに伝送する。パイロット・データ及び同期化データのような他のデータ型は、符号マッパ６０６及び６０７のような、複数の符号マッパ６０６〜６０８の別の符号マッパに直接伝送される。各符号マッパ６０６〜６０８は、符号マッパ２０８と同様に動作し、符号マッパによって受信されたデータを符号のコンステレーションに含められた複数符号の一つにマッピングして、符号化データに対応する符号ストリームを生成する。本発明の別の実施例において、エンコーダ６０４内に入力されるデータ・ストリームは、エンコーダ６０４を介してよりはむしろ符号マッパ６０８に直接入力し得る。本発明の更に別の実施例において、信号処理ユニット２０４は、更に、符号化データがエンコーダによって対応する符号マッパに伝送される前に、各々が符号化データをインターリーブする複数のインターリーバを含み得る。
【００３６】
各符号マッパ６０６〜６０８は、次に、符号マッパによって生成された符号ストリームを振幅位相調整器ユニット６１０に伝送する。振幅位相調整器ユニット６１０は、複数の振幅位相調整器６１０１〜６１０３を具備し（三つを表示する）、振幅位相調整器は各対応データ型及び関連符号マッパ６０６〜６０８に割り付けられる。振幅位相調整器ユニット６１０は、符号語発生器６１２に連結され、複数の振幅位相調整器６１０１〜６１０３の各振幅位相調整器は、符号語発生器によって出力された符号語に基づいて振幅位相調整器によって受信された各符号に位相シフトを適用して、暗号化された位相シフト符号を生成する。
【００３７】
好ましくは、各振幅位相調整器６１０１〜６１０３は振幅位相調整器２１０と同様に動作し、符号語発生器６１２は符号語発生器２１２と同様に動作する。符号語発生器６１２によって出力された符号語の第一「ｎ」ビット、すなわち、「ｎ１」ビット、又は第一「ｎ＋ｍ」ビット、すなわち、「（ｎ＋ｍ）１」ビットは、信号処理ユニット６００、より具体的には振幅位相調整器ユニット６１０によって、複数の振幅位相調整器の振幅位相調整器６１０１のような第一振幅位相調整器に提供される。符号語発生器６１２によって出力された符号語の第二の異なる「ｎ」ビット、すなわち、「ｎ２」ビット、又は第二の異なる「ｎ＋ｍ」ビット、すなわち、「（ｎ＋ｍ）２」ビットは、振幅位相調整器ユニット６１０によって、複数の振幅位相調整器の振幅位相調整器６１０２のような第二振幅位相調整器に提供される。更に符号語発生器６１２によって出力された符号語の第三の異なる「ｎ」ビット、すなわち、「ｎ３」ビット、又は第三の異なる「ｎ＋ｍ」ビット、すなわち、「（ｎ＋ｍ）３」ビットは、振幅位相調整器ユニット６１０によって、複数の振幅位相調整器の振幅位相調整器６１０３のような第三振幅位相調整器に提供される。同じ振幅位相調整器６１０１〜６１０３内に次に入力される各記号に関して、符号語発生器６１２によって出力される符号語の更に別の異なる「ｎ」又は「ｎ＋ｍ」ビットが振幅位相調整器に提供される。しかし、本発明の別の実施例において、振幅位相調整器６１０２のような、同期化記号で動作する振幅位相調整器は、受信通信装置において同期化符号に関連する自己相関値を最大化するため、全同期化符号に同じ位相シフトを適用し得る。振幅位相調整器ユニット６１０は、更に、符号語発生器６１２によって出力された符号語を保存するバッファを含むことができ、そのバッファから振幅位相調整器ユニットは、各振幅位相調整器６１０１〜６１０３に提供された「ｎ」、又は「ｎ＋ｍ」ビットを読み取り得る。
【００３８】
各振幅位相調整器６１０１〜６１０３は、次に、振幅位相調整器によって生成された各位相及び／又は振幅調整符号をタイム・スロット符号マッパ６１４に伝送する。タイム・スロット符号マッパ６１４は、振幅位相調整器６１０１〜６１０３から受信された各位相及び／又は振幅調整符号をタイム・スロット内の適当なブロックにマッピングする。例えば、図７は、本発明のＴＤＭＡ実施例において用い得る模範的タイム・スロット７００のブロック図である。タイム・スロット中、割り当て無線周波数（ＲＦ）信号の全帯域を使用すべくタイム・スロットの割り当てユーザが登録される。図７に示すように、タイム・スロット７００は四つの周波数サブチャネル７０１〜７０４、すなわち、割り当てＲＦ帯域の周波数サブチャネルを生成すべく、個別のオフセット周波数の信号と各々が混合される四つの信号経路を具備する。各サブチャネル７０１〜７０４は混合信号の周波数オフセットのため、他のサブチャネルから相殺される。例えば、タイム・スロット７００は、イリノイ州シャンバーグのモトローラ社（Motorola,Inc.,Schaumburg,Illinois）から入手可能な「ｉＤＥＮ」無線システム機器によって使用される「ｉＤＥＮ」タイム・スロットであり得る。タイム・スロット７００内の各サブチャネル７０１〜７０４は、全タイム・スロット７００内の総計２１２の符号位置に対して、５３の符号位置を含み得る。タイム・スロット符号マッパ６１４は、次に、各サブチャネル７０１〜７０４の最初の三つの符号位置（符号位置は、タイム・スロット７００において「Ｓ」によって示される）の三つの同期化符号をインターリーブでき、更に、各サブチャネル７０１〜７０４における所定の符号位置（符号位置は、タイム・スロット７００において、各々「Ｐ」と「Ｄ」によって示される）のパイロット符号をユーザ・データ符号とインターリーブし得る。
【００３９】
タイム・スロット符号マッパ６１４は、次に、タイム・スロットを送信機部分に転送し、送信機部分でタイム・スロットは無線周波数（ＲＦ）サブチャネルに変調され、変調信号は、受信通信装置に送信される増幅ＲＦサブチャネルを生成すべく増幅される。
【００４０】
同様に、ＴＤＭＡ実施例において、受信通信装置の信号処理ユニットは対応する送信通信装置によって送信された、パイロット・データ、同期化データ、及びユーザ・データのような様々なデータ型を個別に処理する要素を相応に具備し得る。次に、図８を参照すると、本発明のＴＤＭＡ実施例に従う受信通信装置の信号処理ユニット８００のブロック図が提供される。信号処理ユニット８００は、信号処理ユニット６００に対して逆の機能を実行する。より具体的には、信号処理ユニット８００は、受信通信装置の受信機部分の復調器によってベースバンドにダウンコンバートされたタイム・スロットを受信し、タイム・スロットの符号位置内に配置された符号をデインターリーブ（de-interleave）する逆タイム・スロット符号マッパ８０２を具備する。逆タイム・スロット符号マッパ８０２は、次に、各符号を振幅位相調整器ユニット８０４に転送する。
【００４１】
振幅位相調整器ユニット８０４は、パイロット・データ、同期化データ、及びユーザ・データのような対応する各データ型に割り付けられた振幅位相調整器を備えた複数の振幅位相調整器８０４１〜８０４３（三つを表示）と、関連する逆符号マッパ８１２〜８１４とを具備する。振幅位相調整器ユニット８０４は符号語発生器２８０と同様に動作し、一つ以上の符号語を振幅位相調整器ユニット８０４に調達する符号語発生器８０６に連結される。各振幅位相調整器８０４１〜８０４３は、次に、符号語発生器８０６によって調達された一つ以上の符号語に基づいて符号に位相シフト及び／又は振幅調整を適用することによって、振幅位相調整器によって受信された各符号を暗号解読して、暗号解読符号を生成する。好ましくは、各振幅位相調整器８０４１〜８０４３は振幅位相調整器２７２と同様に動作する。更に、振幅位相調整器ユニット８０４は、振幅位相調整器ユニットが振幅位相調整器によって受信された異なる各符号に関して、異なる「ｎ」、又は「ｎ＋ｍ」ビットを異なる各振幅位相調整器８０４１〜８０４３に提供し、更にまた、同じ各振幅位相調整器に提供するという点において、振幅位相調整器ユニット６１０と同様に動作する。しかし、本発明の別の実施例において、振幅位相調整器８０４２のような、同期化符号で動作する振幅位相調整器は、送信通信装置において対応する振幅位相調整器によって同期化符号に適用された位相シフトに依存して、全同期化符号に同じ位相シフトを適用し得る。振幅位相調整器ユニット８０４は、更に、符号語発生器８０６によって出力された符号語を保存するバッファを具備でき、そのバッファから振幅位相調整器が各振幅位相調整器８０４１〜８０４３に提供された「ｎ」、又は「ｎ＋ｍ」ビットを読み取る。
【００４２】
各振幅位相調整器８０４１〜８０４３は、次に、振幅位相調整器によって生成された各調整符号をパイロット補間機能８１０に転送する。パイロット補間機能２７４に類似するパイロット補間機能８１０は、当該分野において公知なように、パイロット・データ及び同期化データのような受信アプリオリ・データに基づいてパイロット補間機能によって受信された各調整ユーザ・データ符号についてパイロット補間を実施する。パイロット補間機能８１０は、次に、受信パイロット・データ及び同期化データをドロップでき、受信ユーザ・データに対応する各フェージング補正調整符号を逆符号マッパ８１４に転送し、逆符号マッパは各符号マッパ６０６〜６０８によって実施される機能の逆機能を実施する。すなわち、逆符号マッパ８１４は、逆符号マッパ２７６と同様に動作し、暗号解読符号に対応するＰタプルを回復して、受信ユーザ・データに対応する回復ビット・ストリームを生成する。逆符号マッパ８１４は、次に、回復ビット・ストリームをデコーダ８１８、好ましくはＦＥＣデコーダに伝送し、デコーダはデコーダ２７８と同様に動作し、回復ビット・ストリームを復号化して復号化ビット・ストリームを生成する。復号化ビット・ストリームは、次に、周知の信号処理技術に従って受信通信装置によって更に処理される。本発明の他の実施例において、この場合もやはり、信号処理ユニット２７０に類似して、信号処理ユニット８００は、対応する送信通信装置の形状構成に依存して、デコーダ８１８を含まなくてもよいか、或いは複数のデインターリーバを更に含み得る。
【００４３】
この場合もまた、無線リンクを介して送信すべき複数符号の各符号に位相シフト及び振幅調整の少なくとも一つを適用することによって、無線リンクを通じて送信される先行技術のデータ暗号化を増強する物理レイヤ暗号化を提供する送信通信装置が提供される。例えば、パイロット・データ、同期化データ、及びユーザ・データの複数のデータ型が同時に送信される場合、送信通信装置は各データ・ストリームの暗号化をカスタマイズするため、各データ・ストリームの符号を個別に暗号化し得る。本発明の別の実施例において、送信通信装置によって符号に適用された位相シフト又は振幅調整に対応する各暗号化符号に、位相シフト及び振幅調整の少なくとも一つを適用することによって、暗号化符号を暗号解読できる受信通信装置が提供される。
【００４４】
本発明はその特定の実施例を参照して具体的に示し、説明してきたが、以下の請求項に示されるような本発明の範囲から外れることなく改変し得ること、及びそれらの要素を等価物と置換し得ることは当業者によって理解され得る。更に、本明細書において詳述された送信通信装置と受信通信装置の要素及び動作は包括的ではなく、とにかく発明を限定するよりはむしろ本発明の発明原理と優位性の理解及び認識を高めるために単に提供されることを当業者は十分に解っている。従って、明細書と図面は、制限的意味よりはむしろ例示的意味でみなされるべきであり、このような改変および置換は全て、本発明の範囲内に含めようとするものである。
【００４５】
利益、他の優位性、及び問題に対する解決方法を特定の実施例に関して上述してきた。しかし、これらの利益、優位性、問題に対する解決方法、及び任意の利益、優位性、又は解決方法を生じさせるか又はより明白にし得る如何なる要素も、何れかの又は全ての請求項の重要な、必須な、又は本質的な特徴又は要素であるとして解釈してはならない。本明細書で用いる場合、用語「具備する」、「具備している」、又はその他の如何なる変形も、非排他的な包含を網羅していることが意図されている。すなわち、要素のリストを備えるプロセス、方法、物品、又は装置には、これらの要素のみが含まれるのではなく、明白にリストにされてはいないか又はこのようなプロセス、方法、物品、又は装置に固有の他の要素が含まれていてもよい。更に、本明細書において別に示されなければ、存在する場合、第一と第二、上部と底部などの関係語の使用は、単に、別の実体又は働きから一つの実体又は働きを区別するために使用され、任意の実際上のこのような実体又は働きの間の如何なる関係または順番も必ずしも要求又は暗示することはない。
【図面の簡単な説明】
【００４６】
【図１】本発明の実施例に従う無線通信システムのブロック図。
【図２】本発明の実施例に従う図１の通信システムの基本設計概念のブロック図。
【図３】本発明の実施例に従う図２の送信通信装置の動作を例示する論理フローチャート。
【図４】本発明の実施例に従う図２の送信通信装置の振幅位相調整器の動作のグラフ図。
【図５】本発明の実施例に従う図２の受信通信装置の動作を例示する論理フローチャート。
【図６】本発明の別の実施例に従う送信通信装置の信号処理ユニットのブロック図。
【図７】本発明の別の実施例に従う模範的タイム・スロットのブロック図。
【図８】本発明の別の実施例に従う受信通信装置の信号処理ユニットのブロック図。
【図１】
2008514159.tif 000003
【図２】
2008514159.tif 000004
【図３】
2008514159.tif 000005
【図４】
2008514159.tif 000006
【図５】
2008514159.tif 000007
【図６】
2008514159.tif 000008
【図７】
2008514159.tif 000009
【図８】
2008514159.tif 000010
【国際調査報告】
2008514159.tif 000011